【手続補正書】
【提出日】平成16年9月1日(2004.9.1)
【手続補正１】
【補正対象書類名】明細書
【補正対象項目名】特許請求の範囲
【補正方法】変更
【補正の内容】
【特許請求の範囲】
【請求項１】
印刷システムのための装置であって、該印刷システムが、走査キャリッジを有するプリンタを含み、該走査キャリッジが、第２の相互接続部材を含み、該第２の相互接続部材が、中空の針及び弾性隔壁のうちの一方であり、該装置が、プリントカートリッジを含み、該プリントカートリッジが、
本体と、
該本体の外面に取り付けられた接点パッドと、
前記本体内のプリントヘッドであって、プリント時に前記キャリッジ内に取り付けられた際に前記接点パッドからの付勢信号を受容し、媒体上に下方方向へインク滴を射出する、プリントヘッドと、
該プリントヘッドと流体連通した、前記本体内のインクリザーバと、
前記プリントカートリッジの外部のインク供給源からのインクを受容するインク入口ポートであって、前記インクリザーバと流体連通した第１の相互接続部材を有しており、該第１の相互接続部材が、前記中空の針及び前記弾性隔壁のうちの他方であって、前記プリントカートリッジが前記走査キャリッジ内に第１の方向で挿入された際に前記走査キャリッジ上の前記第２の相互接続部材に対する係合及び気密流体接続を行って、前記プリントカートリッジを前記キャリッジ内に第１の方向で挿入した際に前記流体接続が自動的に行われるようになっており、該第１の方向が、前記プリントヘッドにより射出される前記インク滴の前記下方方向である、インク入口ポートと
を含む、印刷システムのための装置。
【請求項２】
前記第１の相互接続部材が、前記プリントカートリッジから前記第１の方向に延びる中空の針であり、前記第２の相互接続部材が、前記走査キャリッジに取り付けられた弾性隔壁である、前項１に記載の装置。
【請求項３】
前記プリントカートリッジ内の前記インクリザーバが、周囲圧力に対して負の内圧を有する、請求項１に記載の装置。
【請求項４】
前記走査キャリッジが前記第２の相互接続部材を支持する、請求項１に記載の装置。
【請求項５】
前記プリントカートリッジ及び前記キャリッジの外部に配設され、前記プリントカートリッジのためのインクを収容する、インク供給源と、
該インク供給源と前記キャリッジとの間に配設され、前記第２の相互接続部材へインクを供給する、可撓性チューブと
を更に含む、請求項４に記載の装置。
【請求項６】
印刷システムのための装置であって、該印刷システムが、プリント領域及びプリントカートリッジを有しており、該プリントカートリッジが、プリント時に第１の方向にインク滴を射出するプリントヘッドを有しており、前記第１の方向が下方であり、前記プリントカートリッジが、前記プリントヘッドと流体連通したインクリザーバを有しており、前記プリントカートリッジが、第２の相互接続部材を含むインク入口ポートを有しており、該第２の相互接続部材が、中空の針及び弾性隔壁のうちの一方であり、該装置が、
前記プリント領域を横切って走査を行うための走査キャリッジであって、インク源からのインクを受容するための第１の相互接続部材を含み、該第１の相互接続部材が前記中空の針及び前記弾性隔壁のうちの他方であって、前記プリントカートリッジが前記走査キャリッジ内に第１の方向で挿入された際に該プリントカートリッジ上の前記第２の相互接続部材に対する係合及び気密流体接続を行って、前記プリントカートリッジを該走査キャリッジ内に前記第１の方向で挿入した際に前記流体接続が自動的に行われるようになっており、該走査キャリッジが、前記プリントヘッドが前記第１の方向に媒体上へインク滴を射出することを可能にする開口部を有している、走査キャリッジ
を含む、印刷システムのための装置。
【請求項７】
前記インク源と前記キャリッジとの間に接続されて前記第１の相互接続部材にインクを提供するインク導管を更に含む、請求項６に記載の装置。
【請求項８】
前記第１の相互接続部材が、
中央孔を有する弾性隔壁と、
該弾性隔壁に結合された剛性支持部材であって、支持部材インク入口と、該支持部材インク入口と前記隔壁との間を連絡する中空中央部分とを有する、剛性支持部材と、
前記支持部材インク入口と前記インク導管との間に接続された可撓性流体接続手段であって、前記第２の相互接続部材が前記隔壁内の前記孔内に挿入された際に前記支持部材が一定の度合の横方向の運動を行うことを可能にする、可撓性流体接続手段と
を含む、請求項６に記載の装置。
【請求項９】
印刷システムの使用方法であって、
本体と、該本体の外面に形成された接点パッドと、プリント時に前記接点パッドからの付勢信号を受容して下方方向である第１の方向にインク滴を射出するプリントヘッドと、該プリントヘッドと流体連通したインクリザーバと、該インクリザーバと流体連通した第１の相互接続部材とを有するプリントカートリッジを設け、前記第１の相互接続部材が、中空の針及び弾性隔壁のうちの一方であり、
第２の相互接続部材を有し、インク供給源と流体連通した、走査キャリッジと、付勢信号を伝達するための電極とを設け、該第２の相互接続部材が、前記中空の針及び前記弾性隔壁のうちの他方であり、
前記プリントカートリッジを前記キャリッジ内に前記第１の方向で挿入し、該挿入ステップにおいて、前記第１の相互接続部材及び前記第２の相互接続部材が互いに接続して、前記プリントヘッド内の前記インクリザーバと前記インク供給源との間に機密流体連通経路を提供し、及び前記接点パッドが前記電極に電気的に接続し、前記下方方向で媒体上に印刷するよう前記キャリッジの底部の開口内に前記プリントヘッドを露出させる、
という各ステップを含む、印刷システムの使用方法。
【請求項１０】
プリント領域及びプリントカートリッジを有するプリンタのためのインク供給システムであって、前記プリントカートリッジが、プリント時に第１の方向にインク滴を射出するプリントヘッドを有しており、前記第１の方向が下方であり、前記プリントカートリッジが、前記プリントヘッドと流体連通したインクリザーバを有しており、前記プリントカートリッジが、第１の流体相互接続部を含むインク入口ポートを有しており、該第１の流体相互接続部が中空の針及び弾性隔壁のうちの一方であり、前記プリンタがまた、前記プリント領域を横切って走査を行うための走査キャリッジを有しており、該走査キャリッジが、インク源からのインクを受容するための第２の流体相互接続部を有しており、該第２の流体相互接続部が、前記中空の針及び前記弾性隔壁のうちの他方であって、前記プリントカートリッジが前記走査キャリッジ内に前記第１の方向で挿入された際に該プリントカートリッジ上の前記第１の流体相互接続部に対する気密流体接続を行って、前記プリントカートリッジを該走査キャリッジ内に前記第１の方向で挿入した際に前記流体接続が自動的に行われるようになっており、該走査キャリッジが、前記プリントヘッドが前記第１の方向に媒体上へインク滴を射出することを可能にする開口部を有しており、前記プリンタがまた、インク導管に接続されたインク出口を有する固定式インク供給ステーションを有しており、該インク導管が、前記走査キャリッジ上の前記第２の流体相互接続部に接続されており、前記システムが、
第１のインクリザーバと、該第１のインクリザーバと流体連通した放出ポートとを含む、キャリッジ外（off-carriage）インク供給源であって、前記固定式インク供給ステーションに取り外し可能な状態で取り付けることが可能である、キャリッジ外インク供給源と、
前記インク供給源が前記固定式インク供給ステーション内に取り外し可能な状態で取り付けられた際に、前記放出ポートから、前記導管を介して、前記走査キャリッジ上の前記第２の流体相互接続部へと流出するように、前記第１のインクリザーバ内に収容されたインクであって、前記プリントヘッドが前記キャリッジに取り外し可能な状態で取り付けられた際に、前記中空の針及び前記可撓性隔壁を介して前記第１の流体相互接続部へ及び前記プリントヘッドへと流れることができるようになっている、インクと
を含む、印刷システムのための装置。